(57)【要約】      （修正有）【課題】実強度を強くし、施工時間を短縮できる床板を提供する。【解決手段】床板の雄実と床材の下部を一体にしてスクリュービス９をねじ込むため、一定幅の下部突条部２と上部突条部３を設け、床板の雄実を太く床材の実強度を強くする。雄実を根太８へスクリュービスで固定し密着強度を増す。雄実に対となる雌実を嵌合するとスクリュービスが雌実によって覆い隠され、空気中の水分による木材の膨張や収縮をおさえる。雄実に切欠き５を入れ、スクリュービスをねじ込む位置を明確にし、作業効率の向上やねじ込み時のビスの滑りによる化粧単板などの損傷をなくす。突条部１７、切欠き部１８を設け、嵌合強度を強化する。【選択図】図３
2017082388.tif 000002
【特許請求の範囲】
【請求項１】
床板を長方形の形状にして、一つの長辺は先端が丸みを帯びている長方形の突条１を床板の下部に設け、その突条１は下部突条部２と上部突条部３になり、下部突条部２と上部突条部３には垂直にスクリュービス９をねじ込む為の一定の幅を設けており、その突条の上部突条部３は下部突条部２より長く、対になる一つの長辺には前記突条１が嵌合する溝４を設け、一つの短辺は先端が丸みを帯びている長方形の突条１３を設け、その短辺と対となる短辺には前記突条１３が嵌合される溝１４を設け、その床板の表面には化粧単板を貼り合わせた床板。
【請求項２】
床板の一つの長辺に設けた突条１の上部に長辺と平行に切欠き５を入れた請求項１の床板。
【請求項３】
床板の一つの長辺に設けた溝４側に長方形の突条部１７を設け、対となる一つの長辺には前記突条部１７が嵌合する切欠き部１８を設けた請求項１又は請求項２の床板。
【発明の詳細な説明】
【技術分野】
【０００１】  本発明は、体育館、講堂、フィットネス、スポーツクラブ、多目的ホールなどの広い床を敷設する、床板に関するものである。
【技術背景】
【０００２】  従来この種の床板の施工としては、下地合板に接着剤を塗布し、突条部の上部から根太に向かって斜めに釘を留める普通張り、下地合板に接着剤を塗布し、床板の表面に穴を開け、開けた穴から下地合板を貫通して根太まで脳天ビスをねじ込んで固定する特殊張りや隠し特殊貼りなどの床板施工に用いられる。
【０００３】  普通張りの床板の工法は、大引きに対して直交になる様に根太を一定間隔で平行に取り付ける。それから、その根太上に下地合板を乗せ、下地合板の上から根太にビスまたは釘を打ちこむ。次に下地合板に接着剤を塗布し、たとえば図５の様な床板を敷き、釘１０の様に雄実の上部から斜めに打ち込んで固定する。その後、釘で保持した雄実に雌実をはめ込み同様に雄実に釘を打ちこんでいく。これらを繰り返し行い、床板を張る。図５参照
【０００４】  特殊張りの床板については、下地合板の上に接着剤を塗布して１枚の床板を張る。そして、普通張り工法と同様に雄実から斜めに釘１０を打って固定する。それから、２枚目の床板の長辺の雄実を、既に敷設した１枚目の床板の長辺の雌実にはめた状態にして２枚目を張る。同様に縦と横方向に連結していって全面に床板を敷詰める。次に接着面に十分な接着状態を保たせるため、床板から根太７へ多数のスクリュービス９をねじ込み又は釘を打ちこんでいく。そのために、まずスクリュービス９をねじ込むべき根太上の正確な位置に墨出しをし、墨出しに沿った複数の位置にそれぞれダボ穴をあける。それから、各ダボ穴から根太へスクリュービス９をねじ込んで、床板をしっかり固定する。全面を固定し終わったら、ダボ穴の清掃をする。その後、接着剤を塗ったダボ１２をダボ穴に埋め込む。または、ダボ穴に接着材を流し込んだ後にダボ１２を埋め込む。それから、ドラムサンダーなどで研磨する。研磨は、荒掛け、中掛け、仕上げなどの複数回の工程を必要とする。それから、清掃、下塗り、ポリッシャー掛け、中塗り、コートライン引き、上塗りの塗装工程を経て仕上がる。図６参照
【０００５】  隠し特殊貼りの床板は、床板の全体を長方形に形成して、一つの長辺と一つの短辺とに沿ってそれぞれの断面が半円状の雄実を設け、残りの長辺と短辺とに沿って前記雄実がはまる断面が半円状の雌実を設け、その溝の下方に一定幅で水平に突出する突出部２を設けて、突条を設けた長辺には突条部がはまる切欠き部が設けた床板を使用する。この床板を多数の根太の上に敷詰められた下地合板に接着剤を塗布し、一つの前記床板を根太に交差する様に設置する。設置した床板の雌実の下方を突出させた突出部２に下地合板を貫通し根太までを固定する様にスクリュービス９ねじ込む。固定した床板の溝に次の床板の突条をはめ込んで一枚目と同様に溝の下方に突出部２から根太までをスクリュービスなどで固定する事を繰り返し行い、床板を張る。図７参照
【発明が解決しようとする課題】
【０００６】  従来の床板の突条と溝の形状では、前記普通張りで説明した通り突条に斜めに釘打ちしかできない形状になっているため床板の保持力が強くはない。また床板は木材から製造しているため水分率に大きく左右され、広い体育館などに施工した場合、空気中の湿度により床板が膨張、収縮の影響を多大に受けてしまう事から、施工する方法を変えた特殊張り工法では、床板の表面に穴を開けてビス留めをし、先ほど開けた穴をダボで塞ぐ等の複雑な作業で作業性が下がり作業時間や工賃が大きく掛かってしまっている。それらを改善しようとした隠し特殊貼り工法の床板は、溝の下部を長くし、そこにスクリュービスで根太までねじ込み固定し、二枚目の突条で一枚目の溝を嵌合する事でビスの頭を隠し意匠的に綺麗で作業時間の短縮や工賃を削減できるのだが、床板をビス留めする位置が床板全体の１／３くらいの厚さのため床板にかかるか保持力が他の床板より劣ってしまう課題を有している。
【課題を解決するための手段】
【０００７】  上記課題を解決する為に、床板を長方形の形状にして、一つの長辺は先端が丸みを帯びている長方形の突条１を床板の下部に設け、その突条１は下部突条部２と上部突条部３からなり、下部突条部２と上部突条部３には垂直にスクリュービス９をねじ込む為の一定の幅を設けており、その突条の上部突条部３は下部突条部２より長く、対になる一つの長辺には前記突条１が嵌合する溝４を設け、一つの短辺は先端が丸みを帯びている長方形の突条を設け、その短辺と対となる短辺には前記突条が嵌合される溝を設け、その床板の表面には化粧単板を貼り合わせた床板になり、この床材の突条１の下部突条部２と上部突条部３にスクリュービスをねじ込む為の一定幅を設けた事により床板の突条１が太くなる為、床板の実強度を強くすることが出来る。
【０００８】  そして、床板の一つの長辺に設けた突条１の上部に長辺と平行に切欠き５を入れた前記床板を使う事でスクリュービス９をねじ込む時の位置を決める事による作業性の向上や、ビスが滑る事による化粧単板６などへの損傷を無くす。さらに、突条１より下地合板を貫通し根太までスクリュービス９で固定する事で密着強度がまし、木材の空気中に漂う水分の影響による膨張や収縮をおさえる事になる。また、前記突条１に対となる溝４を嵌合すると突条１にねじ込まれたスクリュービス９が溝４によって覆い隠されることになる。
【０００９】  さらには、突条部１７と対となる切欠き部１８を設ける事で組み合わせのための突条や溝が増える事となり更なる嵌合部を強化することが出来る。
【発明を実施するための形態】
【００１０】  本発明に係る床板の構造を図１に基づいて説明する。
床板を長方形の形状にして、一つの長辺は先端が丸みを帯びている長方形の突条を床板の下方に設け、その突条１は上部より下部に垂直にスクリュービス９をねじ込む為の一定の幅の下部２を設けており、その突条の上部は下部２より長く一定幅で水平に突出する突条部３を設け、対になる一つの長辺には前記突条１の上部突条部３が嵌合する溝４を設けて、その溝４の下側は端緑に下部突条部２が合わさる様に切欠き部が形成され、一つの短辺は先端が丸みを帯びており厚さに対して真ん中を中心とした長方形の突条を設け、その短辺と対となる短辺には前記突条が嵌合される溝を設け、その床板の表面には化粧単板を貼り合わせた床板、または前記床板の長辺に設けた突条１の上部に長辺と平行に切欠き５を入れた床板や、一つの長辺の溝４側に突条部１７を設け対となる長辺には突条部１７が嵌合する切欠き部１８を設けた床板である。
【００１１】  この床板を用いて施工するには、例えば図２、３、４のようにする。図２は施工時の全体図を立体に示し、図３は図１のＡ−Ａの断面図、図４は図１のＢ−Ｂの断面図を示している。
【００１２】  最初に複数の根太８を大引１１と直交させて大引１１の上に設置し、根太８から大引１１へとスクリュービス９をねじ込んで固定する。つぎに、組まれた根太８の上に下地合板（捨て張り合板）７を敷詰め、下地合板から根太へビス又は釘を打ち込んで固定する。固定した下地合板に接着剤を塗布し、根太８に垂直になる様に一枚の床板を乗せる。ここで、突条１に設けた切欠き５の上から根太８までスクリュービス９で下地合板を貫通して打ち込む。このときにスクリュービス９の頭が突条１の面と面一になる様に、かつスクリュービス９が滑らない様に、またはスクリュービス９をねじ込む時に化粧単板６へぶつけない様に切欠き５の上から打ち込むようにする。
【００１３】  それから、二枚目の床板の長辺の溝４を一枚目に張った床板の長辺の突条１にはめ合わせると、一枚目の突条１が二枚目の床板の溝４に嵌合した状態になる。その後に一枚目と同様に二枚目の突条１の切欠き５の上からスクリュービス９をねじ込んでいく。そして、複数の床板を根太８に垂直になる様に並べて敷設していく。縦方向には、床板の短辺の突条１３に隣の床板の短辺溝１４にはめ込みながら設置とスクリュービス９での固定を繰り返して連結していく。この様にして全面の施工を完成させる。
【００１４】  また、下地合板を用いずに根太へ直接はりつけて固定し、敷詰めていくようなやり方で施工する事もできる。
【発明の効果】
【００１５】  本発明は、床板の雄実の実と床材の下部を一体にしてスクリュービスをねじ込む為に一定幅を下部突条部２と上部突条部３に設ける事により床板の雄実が太くなる為、床材の実強度が強くなる。さらに突条１より下地合板を貫通し根太までスクリュービス９をねじ込む事から密着強度を増し、木材の空気中に漂う水分の影響による膨張や収縮をおさえる事になる。
【００１６】  また、突条１から根太までスクリュービス９をねじ込むため上下方向の激しい振動や揺れに対する保持力が大幅に向上している。そして、施工時に床板の表面に穴などをあける必要がなく、かつ床板から下地合板を貫通させて根太までスクリュービス９をねじ込んで固定をする為、下地合板を根太に敷詰めるときの、ビス留め作業を従来よりも減らす事ができ、施工時間の短縮と、それに伴って工賃の削減になる。
【００１７】  突条１の合わせ面となる溝４を組み合わせる事により切欠き５に埋め込まれた、スクリュービスの頭が表面に出る事がなく意匠的に綺麗に仕上がる効果も持ち合わせている。スクリュービスをねじ込む突条１に切欠き５を入れる事でビス留めの位置を明確にし、スクリュービスをねじ込む時のビスが滑る現象を防ぎ的確にねじ込む事が出来る。また、ねじ込み時の床板上部の化粧材への損傷をなくす事にもなる。
【図面の簡単な説明】
【００１８】
【図１】床板の立体図で示した。
【図２】床板の実地使用例において床板施工時の状態を立体図で示した。
【図３】図１のＡ−Ａの状態を断面図で示した。
【図４】図１のＢ−Ｂの状態を断面図で示した。
【図５】普通張り工法の床板施工時の状態を断面図で示した。
【図６】特殊張り工法の床板施工時の状態を断面図で示した。
【図７】隠し特殊貼り工法の床板施工時の状態を断面図で示した。
【符号の説明】
【００１９】１    突条
２    下部突条部
３    上部突条部
４    溝
５    切欠き
６    化粧単板
７    下地合板（捨て張り合板）
８    鋼製根太
９    スクリュービス
１０  スクリュービス（ビス）または釘
１１  大引
１２  ダボ栓
１３  突条
１４  溝
１５  雄実
１６  雌実
１７  突条部
１８  切欠き部
【図１】
2017082388.tif 000003
【図２】
2017082388.tif 000004
【図３】
2017082388.tif 000005
【図４】
2017082388.tif 000006
【図５】
2017082388.tif 000007
【図６】
2017082388.tif 000008
【図７】
2017082388.tif 000009